(57)【要約】  上りリンクにおいて周波数利用効率を向上させることができる基地局。基地局（１００）において、受信部（１１２）は、複数の割当単位に渡って繰り返し送信される送信信号を受信し、受信信号処理部（１１４）は、複数の端末の信号が互いに直交しない非直交マルチアクセス及び複数の端末の信号が互いに直交する直交マルチアクセスの組み合わせに基づいて、送信信号を復調する。
2020003682.tif 000002
【特許請求の範囲】
【請求項１】
複数の割当単位に渡って繰り返し送信される送信信号を受信する受信機と、
複数の端末の信号が互いに直交しない非直交マルチアクセス及び複数の端末の信号が互いに直交する直交マルチアクセスの組み合わせに基づいて、前記送信信号を復調する回路と、
を具備する基地局。
【請求項２】
前記送信信号は、単一の前記割当単位において前記非直交マルチアクセスに基づいて生成された信号に対して、前記複数の割当単位の各々において前記直交マルチアクセスの符号系列が乗算された信号である、
請求項１に記載の基地局。
【請求項３】
前記符号系列の系列長は、前記複数の割当単位の数と同一の値である、
請求項２に記載の基地局。
【請求項４】
前記符号系列の系列長は、前記複数の割当単位の数よりも小さい値である、
請求項２に記載の基地局。
【請求項５】
前記符号系列は、下り制御信号を用いてダイナミックに端末へ通知される、
請求項２に記載の基地局。
【請求項６】
前記下り制御信号を用いて通知される前記符号系列は、前記符号系列に対する複数の候補のうちの何れか１つである、
請求項５に記載の基地局。
【請求項７】
前記複数の候補は、上位レイヤシグナリングによって通知されている、又は、予め規定されている、
請求項６に記載の基地局。
【請求項８】
前記符号系列は、前記下り制御信号によって前記端末へ通知される他のパラメータに対応付けられている、
請求項５に記載の基地局。
【請求項９】
前記符号系列は、上位レイヤシグナリングを用いて端末へ通知される、
請求項２に記載の基地局。
【請求項１０】
前記符号系列は、前記上位レイヤシグナリングによって前記端末へ通知される他のパラメータに対応付けられている、
請求項９に記載の基地局。
【請求項１１】
前記送信信号は、データ信号及び参照信号を含み、
前記データ信号に適用される前記組み合わせと前記参照信号に適用される前記組み合わせとが異なる、
請求項１に記載の基地局。
【請求項１２】
前記回路は、前記受信された送信信号において多重されている端末数に応じて、
前記符号系列を用いた逆拡散による第１の受信処理、及び、前記単一の割当単位における前記非直交マルチアクセスに基づく第２の受信処理を２段階で行う第１の方法と、前記第１の処理及び第２の処理を一括で行う第２の方法とを、切り替える、
請求項２に記載の基地局。
【請求項１３】
前記回路は、前記送信信号の目標伝送品質に応じて、
前記符号系列を用いた逆拡散による第１の受信処理、及び、前記単一の割当単位における前記非直交マルチアクセスに基づく第２の受信処理を２段階で行う第１の方法と、前記第１の処理及び第２の処理を一括で行う第２の方法とを、切り替える、
請求項２に記載の基地局。
【請求項１４】
複数の端末の信号が互いに直交しない非直交マルチアクセス及び複数の端末の信号が互いに直交する直交マルチアクセスの組み合わせに基づいて、複数の割当単位に渡って繰り返し送信される送信信号を生成する回路と、
前記送信信号を送信する送信機と、
を具備する端末。
【請求項１５】
複数の割当単位に渡って繰り返し送信される送信信号を受信し、
複数の端末の信号が互いに直交しない非直交マルチアクセス及び複数の端末の信号が互いに直交する直交マルチアクセスの組み合わせに基づいて、前記送信信号を復調する、
受信方法。
【請求項１６】
複数の端末の信号が互いに直交しない非直交マルチアクセス及び複数の端末の信号が互いに直交する直交マルチアクセスの組み合わせに基づいて、複数の割当単位に渡って繰り返し送信される送信信号を生成し、
前記送信信号を送信する、
送信方法。
【発明の詳細な説明】
【技術分野】
【０００１】
本開示は、基地局、端末、受信方法及び送信方法に関する。
【背景技術】
【０００２】
3GPP（3rd Generation Partnership Project）では、Release 15までにIoT（Internet of Things）を利用するLPWA（Low Power Wide Area）ユースケースを想定したLTE（Long Term Evolution）無線インタフェースとして、MTC（Machine Type Communication）及びNB-IoT（Narrow Band IoT）の仕様化を行ってきた。MTC及びNB-IoTでは、主に、端末（UE：User Equipmentと呼ぶこともある）の低コスト化、省電力化、及び、カバレッジ拡張などを実現する機能がサポートされている（例えば、非特許文献１−３を参照）。【０００３】
現在仕様化が進んでいる第５世代移動通信システム（5G：5th Generation mobile communication systems）では、周波数利用効率を向上させ、多数端末の同時接続をサポートするシナリオであるmMTC（massive MTC）が、モバイルブロードバンドの高度化（eMBB: enhanced Mobile Broadband）及び超高信頼低遅延通信（URLLC: Ultra Reliable and Low Latency Communication）と同様、重要なユースケースの１つのとして挙げられている。
【先行技術文献】
【非特許文献】
【０００４】
【非特許文献１】3GPP TS 36.211, “Evolved Universal Terrestrial Radio Access (E-UTRA); Physical channels and modulation (Release 14),” V14.3.0, June 2017.
【非特許文献２】3GPP TS 36.212, “Evolved Universal Terrestrial Radio Access (E-UTRA); Multiplexing and channel coding (Release 14),” V14.3.0, June 2017.
【非特許文献３】3GPP TS 36.213, “Evolved Universal Terrestrial Radio Access (E-UTRA); Physical layer procedure for control (Release 14),” V14.3.0, June 2017.
【非特許文献４】RP-171043, “Revision of Study on 5G Non-orthogonal Multiple Access,” ZTE, RAN#76, June 2017.
【非特許文献５】RP-180581, “Interim conclusions on IoT for Rel-16,” Ericsson, RAN#79, March 2018.
【非特許文献６】L. Dai, B. Wang, Y. Yuan, S. Han. C.L. I, Z. Wang, “Non-orthogonal multiple access for 5G: solutions, challenges, opportunities, and future research trends,” IEEE Communications Magazine, Vol. 53, No. 9, September 2015.
【非特許文献７】X. Chen, A. Benjebbour, A. Li. and A. Harada, “Multi-user proportional fair scheduling for uplink non-orthogonal multiple access (NOMA),” Proc. IEEE Vehicular Technology Conference (IEEE VTC 2014 Fall), May 2014.
【非特許文献８】H. Nikopour and H. Baligh, “Sparse code multiple access,” Proc. IEEE 24th International Symposium on Personal Indoor and Mobile Radio Communications (IEEE PIMRC 2013), September 2013.
【非特許文献９】Z. Yuan, G. Yu, and W. Li, “Multi-user shared access for 5G,” Telecommunications Network Technology,” Vol. 5, No. 5, May 2015.
【非特許文献１０】S. Kang, X. Dai, and B. Ren, “Pattern division multiple access for 5G,” Telecommunications Network Technology, Vol. 5, No. 5, May 2015.
【非特許文献１１】R1-164869, “Low code rate and signature based multiple access scheme for New Radio,” ETRI, RAN1#85, May 2016.
【非特許文献１２】R1-162202, “Candidate NR multiple access schemes,” Qualcomm, RAN1#84bis, April 2016.
【非特許文献１３】R1-163993, “Non-orthogonal multiple access considerations for NR,” Samsung, RAN1#85, May 2016.
【非特許文献１４】K. Kusume, G. Bauch, and W. Utschick, “IDMA vs. CDMA: Analysis and comparison of two multiple access schemes,” IEEE Trans. Wireless Commun., Vol. 11, No. 1, January 2012.
【非特許文献１５】R1-162517, “Considerations on DL/UL multiple access for NR,” LG Electronics, RAN1#84bis, April 2016.
【非特許文献１６】R1-165019, “Non-orthogonal multiple access for New Radio,” Nokia, Alcatel-Lucent Shanghai Bell, RAN1#85, May 2016.
【非特許文献１７】R1-167535, “New uplink non-orthogonal multiple access schemes for NR,” MediaTek, RAN1#86, August 2016.
【非特許文献１８】R1-164329, “Initial LLS results for UL non-orthogonal multiple access,” Fujitsu, RAN1#85, May 2016.
【非特許文献１９】R1-162385, “Multiple access schemes for new radio interface,” Intel, RAN1#84bis, April 2016.
【発明の概要】
【０００５】
上りリンクにおいて周波数利用効率を向上させる方法については更なる検討が必要である。
【０００６】
本開示の非限定的な実施例は、上りリンクにおいて周波数利用効率を向上できる基地局、端末、受信方法及び送信方法の提供に資する。
【０００７】
本開示の一実施例に係る基地局は、複数の割当単位に渡って繰り返し送信される送信信号を受信する受信機と、複数の端末の信号が互いに直交しない非直交マルチアクセス及び複数の端末の信号が互いに直交する直交マルチアクセスの組み合わせに基づいて、前記送信信号を復調する回路と、を具備する。
【０００８】
本開示の一実施例に係る端末は、複数の端末の信号が互いに直交しない非直交マルチアクセス及び複数の端末の信号が互いに直交する直交マルチアクセスの組み合わせに基づいて、複数の割当単位に渡って繰り返し送信される送信信号を生成する回路と、前記送信信号を送信する送信機と、を具備する。
【０００９】
本開示の一実施例に係る受信方法は、複数の割当単位に渡って繰り返し送信される送信信号を受信し、複数の端末の信号が互いに直交しない非直交マルチアクセス及び複数の端末の信号が互いに直交する直交マルチアクセスの組み合わせに基づいて、前記送信信号を復調する。
【００１０】
本開示の一実施例に係る送信方法は、複数の端末の信号が互いに直交しない非直交マルチアクセス及び複数の端末の信号が互いに直交する直交マルチアクセスの組み合わせに基づいて、複数の割当単位に渡って繰り返し送信される送信信号を生成し、前記送信信号を送信する。
【００１１】
なお、これらの包括的または具体的な態様は、システム、装置、方法、集積回路、コンピュータプログラム、または、記録媒体で実現されてもよく、システム、装置、方法、集積回路、コンピュータプログラムおよび記録媒体の任意な組み合わせで実現されてもよい。
【００１２】
本開示の一実施例によれば、上りリンクにおいて周波数利用効率を向上できる。
【００１３】
本開示の一実施例における更なる利点および効果は、明細書および図面から明らかにされる。かかる利点および／または効果は、いくつかの実施形態並びに明細書および図面に記載された特徴によってそれぞれ提供されるが、１つまたはそれ以上の同一の特徴を得るために必ずしも全てが提供される必要はない。
【図面の簡単な説明】
【００１４】
【図１】実施の形態１に係る基地局の一部の構成を示すブロック図
【図２】実施の形態１に係る端末の一部の構成を示すブロック図
【図３】実施の形態１に係る基地局の構成を示すブロック図
【図４】実施の形態１に係る端末の構成を示すブロック図
【図５】実施の形態１に係る基地局及び端末の処理を示すシーケンス図
【図６】実施の形態１に係るRepetition信号の生成例を示す図
【図７】実施の形態１に係るRepetition信号の他の生成例を示す図
【図８】LTE PUSCHのサブフレーム構成例を示す図
【図９】NR PUSCHのスロット構成例を示す図
【図１０】実施の形態２に係る基地局及び端末の処理を示すシーケンス図
【図１１】実施の形態２のOption 1-1に係るRepetition信号の生成例を示す図
【図１２】実施の形態２のOption 1-2に係るRepetition信号の生成例を示す図
【図１３】実施の形態２のOption 1-3に係るRepetition信号の生成例を示す図
【図１４】実施の形態２のOption 2-1に係るRepetition信号の生成例を示す図
【図１５】実施の形態２のOption 2-2に係るRepetition信号の生成例を示す図
【図１６】実施の形態２のOption 2-3に係るRepetition信号の生成例を示す図
【図１７】実施の形態２のOption 3-1に係るRepetition信号の生成例を示す図
【図１８】実施の形態２のOption 3-2に係るRepetition信号の生成例を示す図
【図１９】実施の形態２のOption 3-3に係るRepetition信号の生成例を示す図
【図２０】実施の形態３に係るユーザ検出及び復調処理の一例（２段階処理）を示す図
【図２１】実施の形態３に係るユーザ検出及び復調処理の他の例（一括処理）を示す図
【発明を実施するための形態】
【００１５】
以下、本開示の実施の形態について図面を参照して詳細に説明する。
【００１６】
3GPPにおけるNR（New Radio access technology）無線インタフェースのStudy Itemでは、mMTC向けの周波数利用効率の向上を目的に、マルチアクセスにおいて無線リソース数よりも多い信号を伝送することで過負荷多重伝送を行う非直交マルチアクセス（例えば、NOMA：Non-Orthogonal Multiple Access）が検討されている（例えば、非特許文献４を参照）。
【００１７】
また、3GPP Release 16において、LPWAユースケースを対象として、NRベースではなく、MTC及びNB-IoTをベースに無線インタフェースの拡張が継続して検討される予定である（例えば、非特許文献５を参照）。
【００１８】
LTE MTC及びNB-IoT無線インタフェースでは、カバレッジ拡張機能としてRepetition機能がサポートされている。Repetitionでは、同一信号が繰り返し送信され、受信側でそれらの信号を合成することにより、受信信号対雑音電力比（SNR：Signal to Noise power Ratio）を向上させ、カバレッジを拡張する。Repetitionでは、同一信号の送信のために複数の無線リソース（例えば、複数スロット又は複数サブフレーム）が必要となるため、周波数利用効率が低下する。
【００１９】
また、LTE MTC及びNB-IoTにおいて、NRにて検討されている非直交マルチアクセスを適用することで、上りリンクの周波数利用効率を向上できる。
【００２０】
ただし、NRにて検討されている非直交マルチアクセスでは、単一スロット又は単一サブフレーム内の無線リソース割り当てを想定している。換言すると、NRにおける非直交マルチアクセスでは、LTE MTC及びNB-IoTにおいて基本機能としてサポートされているRepetition、つまり、複数スロット又は複数サブフレームの無線リソース割り当ては想定されていない。
【００２１】
ここで、Repetition適用時に非直交マルチアクセスを実現するには、非直交マルチアクセスのための信号を生成するSignature（例えば、拡散符号又はコードブック）のサイズを、単純に、単一スロットから複数スロットへ拡張する方法が考えられる。しかし、この方法では、Repetition数（例えば、スロット数）が増加するにつれて、Signatureのサイズが増加することにより、受信側におけるユーザ検出又は復調演算処理等の処理量が大幅に増加する恐れがある。
【００２２】
一例として、単一スロット割り当ての場合に非直交マルチアクセスのためにX個の無線リソース（例えば、リソースエレメント（RE：Resource Element））を用いて、最大U個の端末を多重する場合について説明する。例えば、ユーザ検出処理にMPA（Message Passing algorithm）の適用を仮定すると、MPAを行うためのファクタグラフ行列サイズは、X × Uとなる。例えば、Repetition回数（または、Repetitionサイズ又はRepetition Factorと呼ぶ）をRとするRepetition適用時に、単純に、非直交マルチアクセスのための無線リソースを複数のスロット分拡張すると、MPAを行うためのファクタグラフ行列サイズは、R(X × U)となる。この場合、Repetitionにより周波数利用効率が1/Rに低下するものの、端末多重数をR倍に向上できるので、全体的には1無線リソースあたりの端末多重数は、U/Xとなり、周波数利用効率の低下は発生しない。ただし、MPAの演算処理量は、端末多重数が増えると指数関数的に増加する。
【００２３】
また、MPAに限らず、非直交マルチアクセスにおけるユーザ検出では、一般に、端末多重数の増加に伴い、演算処理量が大幅に増加する（例えば、非特許文献６を参照）。このため、Repetition適用時にSignatureサイズを増加させ、端末多重数を増やすことにより、Repetitionによる周波数利用効率の低下を防ぐことには限界がある。
【００２４】
そこで、本開示の一実施例では、Repetition適用時に、受信側のユーザ検出又は復調演算等の処理量の増加を回避しつつ、周波数利用効率を向上できる方法について説明する。
【００２５】
（実施の形態１）
［通信システムの概要］
本実施の形態に係る通信システムは、基地局１００及び端末２００を備える。
【００２６】
図１は、本実施の形態に係る基地局１００の一部の構成を示すブロック図である。図１に示す基地局１００において、受信部１１２は、複数の割当単位（例えば、スロット）に渡って繰り返し送信される送信信号を受信し、受信信号処理部１１４は、複数の端末の信号が互いに直交しない非直交マルチアクセス及び複数の端末の信号が互いに直交する直交マルチアクセスの組み合わせに基づいて、送信信号を復調する。
【００２７】
図２は、本実施の形態に係る端末２００の一部の構成を示すブロック図である。図２に示す端末２００において、信号生成部２１０は、複数の端末の信号が互いに直交しない非直交マルチアクセス及び複数の端末の信号が互いに直交する直交マルチアクセスの組み合わせに基づいて、複数の割当単位（例えば、スロット）に渡って繰り返し送信される送信信号を生成し、送信部２１６は、送信信号を送信する。
【００２８】
［基地局の構成］
図３は、実施の形態１に係る基地局１００の構成を示すブロック図である。図３において、基地局１００は、制御部１０１と、上位制御信号生成部１０２と、符号化部１０３と、変調部１０４と、下り制御信号生成部１０５と、符号化部１０６と、変調部１０７と、信号割当部１０８と、IFFT（Inverse Fast Fourier Transform）部１０９と、送信部１１０と、アンテナ１１１と、受信部１１２と、FFT（Fast Fourier Transform）部１１３と、受信信号処理部１１４と、判定部１１９と、を有する。
【００２９】
制御部１０１は、端末２００の上りリンク送信に関する制御情報を決定し、決定した制御情報を、上位制御信号生成部１０２、下り制御信号生成部１０５及び受信信号処理部１１４に出力する。
【００３０】
上りリンク送信に関する情報には、例えば、非直交マルチアクセスに関する情報、Repetition信号が割り当てられる複数のスロットにおいて互いに直交する符号系列（以下、スロット間直交符号系列と呼ぶ）に関する情報、Repetitionに関する情報、符号化・変調方式に関する情報、又は、無線リソース割当に関する情報等が含まれる。
【００３１】
また、上りリンク送信に関する情報のうち、上位制御信号生成部１０２へ出力される情報には、例えば、非直交マルチアクセスに関する情報及びスロット間直交符号系列に関する情報等が含まれる。また、上りリンク送信に関する情報のうち、下り制御信号生成部１０５へ出力される情報には、例えば、非直交マルチアクセスに関する情報、スロット間直交符号系列に関する情報、又は、UL grantによって送信を指示する上りリンク送信に関する情報（例えば、符号化及び変調方式を示す情報、又は、無線リソース割り当てを示す情報）などが含まれる。なお、上記例に限定されず、上りリンク送信に関する情報は、上位制御信号及び下り制御信号の何れに含まれてもよい。
【００３２】
また、制御部１０１は、上位制御信号又は下り制御信号を送信するための下りリンク信号に対する無線リソース割当を決定し、下りリンク信号のリソース割当を指示する下りリソース割当情報を信号割当部１０８へ出力する。
【００３３】
上位制御信号生成部１０２は、制御部１０１から入力される制御情報を用いて、制御情報ビット列を生成し、生成した制御情報ビット列を符号化部１０３へ出力する。
【００３４】
符号化部１０３は、上位制御信号生成部１０２から入力される制御情報ビット列に対して誤り訂正符号化を行い、符号化後の制御信号を変調部１０４へ出力する。
【００３５】
変調部１０４は、符号化部１０３から入力される制御信号（制御情報ビット列）を変調して、変調後の制御信号（変調信号系列）を信号割当部１０８へ出力する。
【００３６】
下り制御信号生成部１０５は、制御部１０１から入力される制御情報を用いて、制御情報ビット列を生成し、生成した制御情報ビット列を符号化部１０６へ出力する。
【００３７】
なお、制御情報が複数の端末２００向けに送信される場合もある。この場合、下り制御信号生成部１０５は、各端末２００向けの制御情報（例えば、UL grantによって送信指示される上りリンク送信の符号化及び変調方式を示す情報又は無線リソース割当情報など）に、各端末２００の端末ID（又は、各端末を識別する情報）を含めてビット列を生成してもよい。
【００３８】
符号化部１０６は、下り制御信号生成部１０５から入力される制御情報ビット列に対して誤り訂正符号化を行い、符号化後の制御信号を変調部１０７へ出力する。
【００３９】
変調部１０７は、符号化部１０６から入力される制御信号（制御情報ビット列）を変調して、変調後の制御信号（変調信号系列）を信号割当部１０８へ出力する。
【００４０】
信号割当部１０８は、制御部１０１から入力される下りリソース割当情報に基づいて、変調部１０４又は変調部１０７から入力される制御信号を無線リソースにマッピングする。信号割当部１０８は、信号がマッピングされた下りリンクの信号をIFFT部１０９へ出力する。
【００４１】
IFFT部１０９は、信号割当部１０８から入力される信号に対して、例えば、OFDM(Orthogonal Frequency Division Multiplexing)等の送信波形生成処理を施す。IFFT部１０９は、CP（Cyclic Prefix）を付加するOFDM伝送の場合には、CPを付加する（図示せず）。IFFT部１０９は、生成した送信波形を送信部１１０へ出力する。
【００４２】
送信部１１０は、IFFT部１０９から入力される信号に対してD/A（Digital-to-Analog）変換、アップコンバート等のRF処理を行い、アンテナ１１１を介して端末２００に無線信号を送信する。
【００４３】
受信部１１２は、アンテナ１１１を介して受信された端末２００からの上りリンク信号波形に対して、ダウンコンバート又はA/D（Analog-to-Digital）変換などのRF処理を行い、受信処理後の上りリンク信号波形をFFT部１１３に出力する。
【００４４】
FFT部１１３は、受信部１１２から入力される上りリンク信号波形に対して、時間領域信号を周波数領域信号に変換するFFT処理を施す。FFT部１１３は、FFT処理により得られた周波数領域信号を受信信号処理部１１４へ出力する。
【００４５】
受信信号処理部１１４は、FFT部１１３から入力される受信信号に対して、例えば、チャネル推定、ユーザ検出、復調処理及び復号処理を行う。受信信号処理部１１４は、例えば、抽出部１１５と、チャネル推定部１１６と、ユーザ検出／復調部１１７と、復号部１１８と、を有する。
【００４６】
抽出部１１５は、制御部１０１から受け取る情報に基づいて、FFT部１１３から入力される信号から、例えば、上りリンクデータ信号又は参照信号（例えば、DMRS：Demodulation Reference Signal）が含まれる無線リソース部分をそれぞれ抽出する。抽出部１１５は、抽出した参照信号が含まれる無線リソース成分をチャネル推定部１１６へ出力し、抽出した上りリンクデータ信号が含まれる無線リソース成分をユーザ検出／復調部１１７へ出力する。
【００４７】
チャネル推定部１１６は、抽出部１１５から入力される参照信号を用いてチャネル推定を行い、チャネル推定値をユーザ検出／復調部１１７へ出力する。
【００４８】
ユーザ検出／復調部１１７は、チャネル推定部１１６から入力されるチャネル推定値を用いて、抽出部１１５から入力される信号から、各端末２００の信号を検出（換言すると、ユーザ検出）する。ユーザ検出／復調部１１７は、検出した各端末２００の信号を復調し、復調結果を復号部１１８に出力する。
【００４９】
復号部１１８は、ユーザ検出／復調部１１７から入力される復調結果を用いて誤り訂正復号を行い、復号後のビット系列を判定部１１９へ出力する。
【００５０】
判定部１１９は、復号部１１８から入力されるビット系列に対して誤り検出を行う。ビット系列に誤りが無い場合、判定部１１９は、ビット系列（受信データ）を出力する。また、ビット系列に誤りが有る場合、基地局１００は、応答信号（ACK/NACK信号）を生成し、端末２００に対して再送要求を行ってもよい（図示せず）。
【００５１】
［端末の構成］
図４は、実施の形態１に係る端末２００の構成を示すブロック図である。図４において、端末２００は、アンテナ２０１と、受信部２０２と、FFT部２０３と、抽出部２０４と、下り制御信号復調部２０５と、復号部２０６と、上位制御信号復調部２０７と、復号部２０８と、制御部２０９と、信号生成部２１０と、IFFT部２１５と、送信部２１６と、を有する。
【００５２】
受信部２０２は、アンテナ２０１を介して受信された基地局１００からの下りリンク信号（例えば、制御信号）の信号波形に対して、ダウンコンバート又はA/D（Analog-to-Digital）変換などのRF処理を行い、得られる受信信号（ベースバンド信号）をFFT部２０３へ出力する。
【００５３】
FFT部２０３は、受信部２０２から入力される信号（時間領域信号）に対して、時間領域信号を周波数領域信号に変換するFFT処理を施す。FFT部２０３は、FFT処理により得られた周波数領域信号を抽出部２０４へ出力する。
【００５４】
抽出部２０４は、制御部２０９から入力される制御情報（例えば、無線リソース割当情報）に基づいて、FFT部２０３から入力される信号から、下り制御信号が含まれる受信信号を抽出し、下り制御信号復調部２０５へ出力する。また、抽出部２０４は、制御部２０９から入力される制御情報（例えば、無線リソース割当情報）に基づいて、上位制御信号を含む受信信号を抽出し、上位制御信号復調部２０７へ出力する。
【００５５】
下り制御信号復調部２０５は、抽出部２０４から入力される受信信号をブラインド復号して、端末２００宛ての制御信号であると判断した場合、当該制御信号を復調して、復調結果を復号部２０６へ出力する。
【００５６】
復号部２０６は、下り制御信号復調部２０５から入力される復調結果に対して誤り訂正復号を行い、制御情報（例えば、下り制御信号）を得る。復号部２０６は、得られた制御情報を制御部２０９へ出力する。
【００５７】
上位制御信号復調部２０７は、抽出部２０４から入力される受信信号を復調し、復調結果を復号部２０８へ出力する。
【００５８】
復号部２０８は、上位制御信号復調部２０７から入力される復調結果に対して誤り訂正復号を行い、制御情報（例えば、上位制御信号）を得る。復号部２０８は、得られた制御情報を制御部２０９へ出力する。
【００５９】
制御部２０９は、例えば、上位制御信号又は下り制御信号を送信するための下りリンク信号に対する無線リソース割当を示す制御情報を取得し、抽出部２０４へ出力する。
【００６０】
また、制御部２０９は、復号部２０６から入力される下り制御信号又は復号部２０８から入力される上位制御信号からそれぞれ得られる端末２００の上りリンク送信に関する情報を取得する。制御部２０９は、上りリンク送信に関する情報を用いて、例えば、上りリンク送信の符号化及び変調方式、又は、無線リソース割当を算出し、算出した情報を、信号生成部２１０へ出力する。
【００６１】
また、制御部２０９は、後述する方法により、データ信号及び参照信号に対する、非直交マルチアクセスの設定、スロット間直交符号系列、又は、Repetitionに関する設定を決定し、決定した情報を信号生成部２１０へ出力する。
【００６２】
信号生成部２１０は、制御部２０９から入力される情報に基づいて、後述する、非直交マルチアクセス又はRepetitionのための信号を生成する。例えば、信号生成部２１０は、符号化部２１１、変調部２１２、参照信号生成部２１３及び信号割当部２１４を有する。
【００６３】
符号化部２１１は、送信ビット列（送信データ）を誤り訂正符号化し、符号化後のビット系列を変調部２１２へ出力する。
【００６４】
変調部２１２は、符号部２１１から入力されるビット列を変調して、変調シンボル列を生成し、信号割当部２１４へ出力する。
【００６５】
参照信号生成部２１３は、参照信号系列を生成し、信号割当部２１４へ出力する。
【００６６】
信号割当部２１４は、変調部２１２又は参照信号生成部２１３から入力される信号を、制御部２０９から指示される無線リソースにマッピングする。信号割当部２１４における信号の無線リソースへのマッピングには、例えば、Repetition処理、又は、スロット間符号の乗算処理が含まれる。信号割当部２１４は、信号がマッピングされた上りリンク信号をIFFT部２１５へ出力する。
【００６７】
なお、符号化部２１１、変調部２１２、参照信号生成部２１３又は、信号割当部２１４において、非直交マルチアクセス信号が生成される場合もある。
【００６８】
IFFT部２１５は、信号割当部２１４から入力される信号に対して、OFDM等の送信波形生成処理を施す。IFFT部２１５は、生成した送信波形を送信部２１６へ出力する。IFFT部２１５は、CP（Cyclic Prefix）を付加するOFDM伝送の場合には、CPを付加する（図示せず）。または、IFFT部２１５がシングルキャリア波形（例えば、DFT-s-OFDM波形）を生成する場合には、変調部２１２から出力される変調シンボル列は、DFT（Discrete Fourier Transform）を適用して周波数領域のシンボル列に変換されてもよい（図示せず）。
【００６９】
送信部２１６は、IFFT部２１５から入力される信号に対して、送信電力制御、D/A（Digital-to-Analog）変換、又は、アップコンバート等のRF（Radio Frequency）処理を行い、アンテナ２０１を介して基地局１００に無線信号を送信する。
【００７０】
［基地局１００及び端末２００の動作］
以上の構成を有する基地局１００及び端末２００における動作について詳細に説明する。
【００７１】
図５は、本実施の形態に係る基地局１００及び端末２００の処理のフローを示す。
【００７２】
基地局１００は、例えば、非直交マルチアクセスに関する情報、及び、スロット間直交符号系列に関する情報を決定し、端末２００に送信する（ＳＴ１０１）。端末２００は、基地局１００から通知された、非直交マルチアクセスに関する情報、及び、スロット間直交符号系列に関する情報を取得する（ＳＴ１０２）。
【００７３】
端末２００は、非直交マルチアクセスに関する情報に基づいて、スロット単位の信号（非直交マルチアクセスのための信号）を生成する（ＳＴ１０３）。
【００７４】
端末２００は、スロット単位の信号に対してRepetitionを適用し、Repetition信号を生成する（ＳＴ１０４）。具体的には、端末２００は、スロット間直交符号系列に関する情報に基づいて、Repetition信号に対して、スロット間直交符号系列を乗算する。
【００７５】
端末２００は、生成したRepetition信号を含む上りリンク信号を基地局１００へ送信する（ＳＴ１０５）。
【００７６】
基地局１００は、端末２００から送信される上りリンク信号を受信した後、チャネル推定処理、ユーザ検出処理及び復調処理を行う（ＳＴ１０６）。例えば、基地局１００は、端末２００へ通知した非直交マルチアクセスに関する情報、及び、スロット間直交符号系列に関する情報に基づいて、ユーザ検出処理を行う。
【００７７】
次に、本実施の形態に係る端末２００における上りリンク送信に関する動作の制御方法について詳細に説明する。
【００７８】
上述したように、端末２００は、複数スロットに渡るRepetitionを適用する場合、まず、単一スロット割り当ての場合と同様、非直交マルチアクセスに基づくスロット単位の信号を生成する（図５に示すＳＴ１０３の処理）。その後、端末２００は、生成されたスロット単位の信号を複数スロットに渡りRepetitionする際に、当該スロット単位の信号に対して、複数スロットにおいてスロット間直交符号系列を乗算する（図５に示すＳＴ１０４の処理）。
【００７９】
スロット間直交符号系列は、例えば、同一時間又は同一周波数リソースを用いる端末同士がスロット間で直交する符号系列である。すなわち、複数スロットに渡るRepetitionが適用される信号は、スロット間直交符号系列によって複数スロットにおいて拡散される。
【００８０】
図６は、端末２００における信号生成処理の一例を示す。
【００８１】
一例として、図６に示すように、端末２００は、単一スロット単位の信号を、R個のスロット（例えば、スロット#0〜#R-1）に渡りRepetitionする。
【００８２】
この場合、図６に示すように、端末２００は、単一スロット単位の信号に対して、スロット間直交符号系列｛C(0)，C(1)，C(2)，…，C(R-1)｝を乗算する。図６では、例えば、スロット間直交符号系列の系列長Yと、Repetition回R数とが同一の値である。
【００８３】
このように、端末２００において生成されるRepetition信号は、単一のスロットにおいて非直交マルチアクセスに基づいて生成された信号に対して、複数のスロットの各々において直交マルチアクセスの符号系列（スロット間直交符号系列）が乗算された信号である。
【００８４】
例えば、単一スロット割り当ての場合に非直交マルチアクセスのためにX個の無線リソース（例えばリソースエレメント(RE))を用いて最大U個の端末を多重できる場合、Repetition回数Rと同一長のスロット間直交符号系列を用いて、各スロットでも複数の端末２００を多重できる。例えば、図６では、端末多重数は、R×Uである。
【００８５】
一方、受信側である基地局１００は、ユーザ検出及び復調処理において、まず、スロット間直交符号の逆拡散処理を行い、スロット間直交符号により多重された端末２００の信号を分離する。その後、基地局１００は、単一スロット割り当ての場合と同様の非直交マルチアクセスのユーザ検出・復調処理を実行する。
【００８６】
この場合、ユーザ検出及び復調処理における演算処理量には、単一スロット割り当ての場合の非直交マルチアクセスのユーザ検出及び復調処理に必要な演算処理量に、スロット間直交符号の逆拡散に要する演算処理量が加わる。
【００８７】
上述したように、仮に、Repetition適用時に、非直交マルチアクセスにおけるSignatureサイズをRepetition回数に応じて増加させて端末多重数を増加する方法では、端末多重数の増加に伴い、受信側での演算処理量が指数関数的に増加する。これに対して、図６に示すように、スロット間直交符号の適用によって端末多重数を増加させることで、受信側での演算処理量の増加を抑えることができる。例えば、スロット間直交符号において、例えば、Walsh系列のような直交符号系列を用いる場合、逆拡散に必要な演算量は、スロット間直交符号系列長Y、又は、端末多重数の1乗のオーダーである。
【００８８】
これにより、本実施の形態では、Repetitionによる周波数利用効率の低下を防ぎつつ、ユーザ検出又は復調演算処理量の増加を抑えることができる。
【００８９】
＜スロット間直交符号系列の通知＞
次に、基地局１００が端末２００に対して、使用するスロット間直交符号系列を通知する方法について説明する。これにより、受信側（基地局１００）と送信側（端末２００）との間において、どの直交符号系列が用いられているかを共有する。
【００９０】
以下、スロット間直交符号系列の通知方法の一例として、Option 1及びOption 2について説明する。
【００９１】
[Option 1]
Option 1では、スロット間直交符号系列は、上りリンク送信をスケジューリングする下りリンク制御チャネル（PDCCH: Physical Downlink Control Channel)において送信されるDCIを用いてdynamicに端末２００へ通知される。
【００９２】
この場合、DCIによって通知されるスロット間直交符号系列は、規格で予め決められた系列候補のうちの何れか１つでもよく、セル固有(又はグループ固有)又は端末固有の上位レイヤ信号によって通知された系列候補のうちの何れか１つでもよい。
【００９３】
また、スロット間直交符号系列は、DCIにより明示的（explicit）に通知される場合に限らず、DCIによって通知されるその他の情報（パラメータ）から黙示的（implicit）に通知されてもよい。例えば、DCIによりスロット単位の非直交マルチアクセスに用いられるSignatureが端末２００へ通知される場合、スロット間直交符号系列は、当該Signatureと1対1に対応付けられてもよい。スロット間直交符号系列が黙示的に通知される場合、スロット間直交符号系列の通知のためのオーバヘッドを削減できる。
【００９４】
[Option 2]
Option 2では、スロット間直交符号系列は、セル固有（又はグループ固有）又は端末固有の上位レイヤ信号を用いて端末２００へSemi-staticに通知される。
【００９５】
この場合、スロット間直交符号系列は、上位レイヤ信号により明示的に通知される場合に限らず、上位レイヤ信号によって通知されるその他の情報（パラメータ）から黙示的に通知されてもよい。例えば、上位レイヤ信号によりスロット単位の非直交マルチアクセスに用いられるSignatureが端末２００へ通知される場合、スロット間直交符号系列長Yは、当該Signatureと1対1に対応付けられてもよい。または、スロット間直交符号系列は、端末ID（例えば、RNTI：Radio Network Temporary Identifier）と対応付けられてもよい。スロット間直交符号系列が黙示的に通知される場合、スロット間直交符号系列の通知のためのオーバヘッドを削減できる。
【００９６】
以上、スロット間直交符号系列の通知方法について説明した。
【００９７】
以上より、本実施の形態によれば、端末２００は、複数の端末２００の信号が互いに直交しない非直交マルチアクセス及び複数の端末２００の信号が互いに直交する直交マルチアクセスの組み合わせに基づいて、複数のスロットに渡って繰り返し送信される送信信号を生成する。また、基地局１００は、非直交マルチアクセス及び直交マルチアクセスの組み合わせに基づいて、端末２００から送信される送信信号を復調する。
【００９８】
具体的には、本実施の形態では、端末２００は、非直交マルチアクセスに基づいてスロット単位の信号を生成し、スロット単位の信号に対して、複数のスロットにおいてスロット間直交符号系列（換言すると、複数のスロットの各々において複数の信号が直交する符号系列）を乗算し、基地局１００へ送信する。一方、基地局１００は、端末２００から送信される送信信号に対して、スロット間直交符号系列の逆拡散を行い、スロット単位の信号に対して非直交マルチアクセスに基づくユーザ検出及び復調処理を行う。
【００９９】
これにより、本実施の形態では、Repetition適用時に非直交マルチアクセスを実現するために、非直交マルチアクセスのための信号を生成するSignatureサイズを複数スロットへ拡張する方法と比較して、基地局１００におけるユーザ検出及び復調処理の演算処理量の増加を抑えることができる。
【０１００】
また、本実施の形態では、Repetitionが適用される場合でも、非直交マルチアクセスに基づいてスロット単位の信号が生成されるので、単一スロット割り当ての場合と同様、上りリンクの周波数利用効率を向上できる。
【０１０１】
よって、本実施の形態によれば、Repetition適用時に、基地局１００（受信側）のユーザ検出又は復調演算等の処理量の増加を回避しつつ、上りリンクの周波数利用効率を向上できる。
【０１０２】
＜実施の形態１の変形例＞
なお、本実施の形態において、スロット間直交符号系列長と、Repetition回数とは同一の値でなくてもよい。例えば、図７に示すように、スロット間直交符号系列の系列長Yは、Repetition回数よりも小さい値でもよい。
【０１０３】
図７では、スロット間直交符号系列長を2とし、Repetition回数をR（>2）の例を示す。
【０１０４】
例えば、図７に示すように、端末２００は、スロット#0及びスロット#1の2スロットの信号に対して、スロット間直交符号系列｛C(0)，C(1)｝を乗算する。同様に、端末２００は、スロット#2及びスロット#3の2スロットの信号に対して、スロット間直交符号系列｛C(0)，C(1)｝を乗算する。端末２００は、Repetitionに用いる他のスロットでも同様にして、信号にスロット間直交符号系列｛C(0)，C(1)｝を乗算する。なお、スロット#0及びスロット#1の2スロットの信号に対するスロット間直交符号系列とスロット#2及びスロット#3の2スロットの信号に対するスロット間直交符号系列は、同一でなくてもよい。
【０１０５】
図７の場合、例えば、単一スロット割り当ての場合に非直交マルチアクセスのためにX個の無線リソース（例えば、リソースエレメント(RE)）を用いて最大U個の端末を多重できる場合、系列長2のスロット間直交符号を用いて、各スロットで複数の端末２００を多重できる。例えば、図７では、端末多重数は、2×Uとなる。
【０１０６】
図７に示す方法によれば、スロット間直交符号の適用による端末多重数の増加は、スロット間直交符号系列の系列長分に制限されるものの、ユーザ検出及び復調演算処理量の増加を抑えることができる。特に、Repetition回数が非常に多い場合に、ユーザ検出及び復調演算処理量の増加を抑える効果がより大きくなる。
【０１０７】
また、スロット間直交符号系列の系列長Yの単位で端末２００間がスロット間直交するので、異なるRepetition回数の端末２００同士の多重が容易になる。
【０１０８】
なお、スロット間直交符号系列の系列長Yは、セル固有の値（又はグループ固有の値）として、規格で予め決められてもよく、セル固有(又はグループ固有)の上位レイヤ信号を用いて端末２００へ通知されてもよい。また、スロット間直交符号系列の系列長Yは、端末固有の値として、端末固有の上位レイヤ信号を用いてSemi-staticに通知されてもよく、下りリンク制御信号（DCI）を用いてdynamicに端末２００へ通知されてもよい。また、例えば、セル固有(又はグループ固有)、又は、端末固有の上位レイヤ信号によりSemi-staticに、スロット間直交符号系列の系列長Yの複数の候補が端末２００へ通知され、さらに、系列長候補の何れか１つがDCIによりdynamicに端末２００へ通知されてもよい。
【０１０９】
（実施の形態２）
一般に、無線通信システムでは、データ信号を復調するために送受信間の通信路（チャネル）を予め推定（チャネル推定）する必要がある。このため、各スロット又は各サブフレームには、複数のデータシンボルと、復調用参照信号（DMRS: Demodulation Reference Signal）とが多重される。
【０１１０】
例えば、図８は、LTEの上りリンクデータチャネル（LTE PUSCH: Physical Uplink Shared Channel）の14シンボルからなるサブフレーム構成例を示す。また、図９は、NRのPUSCH（NR PUSCHと呼ぶ）の14シンボルからなるスロット構成例を示す。
【０１１１】
本実施の形態では、複数のスロットに渡るRepetitionを適用する場合の非直交マルチアクセスにおける、参照信号の生成、及び、データ信号の生成について説明する。
【０１１２】
例えば、本実施の形態では、複数のスロットに渡るRepetitionを適用する場合に、非直交マルチアクセス及び直交マルチアクセスのうち、参照信号及びデータ信号のそれぞれに対して適用されるマルチアクセスは異なってもよい。換言すると、参照信号及びデータ信号のそれぞれに適用される非直交マルチアクセスに用いられるSignature、または直交マルチアクセスに用いられる符号系列が異なってもよい。
【０１１３】
なお、本実施の形態に係る基地局及び端末は、実施の形態１に係る基地局１００及び端末２００と基本構成が共通するので、図３及び図４を援用して説明する。
【０１１４】
図１０は、本実施の形態に係る基地局１００及び端末２００の処理のフローを示す。
【０１１５】
基地局１００は、端末２００に対して、例えば、データ信号及び参照信号のマルチアクセスに関する情報を送信する（ＳＴ２０１）。マルチアクセスに関する情報には、例えば、データ信号及び参照信号の各々に対して適用されるマルチアクセス（直交マルチアクセス又は非直交マルチアクセス）の設定に関する情報（例えば、符号系列又はSignature等）が含まれる。なお、データ信号及び参照信号のマルチアクセスに関する情報は、上位制御信号又は下りリンク制御情報を用いて端末２００へ通知される。
【０１１６】
端末２００は、基地局１００から通知された、データ信号及び参照信号のマルチアクセスに関する情報を取得する（ＳＴ２０２）。
【０１１７】
端末２００は、データ信号のマルチアクセスに関する情報に基づいて、データ信号を生成する（ＳＴ２０３）。端末２００は、参照信号のマルチアクセスに関する情報に基づいて、参照信号を生成する（ＳＴ２０４）。なお、ＳＴ２０３及びＳＴ２０４におけるデータ信号及び参照信号の生成方法の詳細については後述する。
【０１１８】
端末２００は、生成したデータ信号及び参照信号を含む上りリンク信号を基地局１００へ送信する（ＳＴ２０５）。
【０１１９】
基地局１００は、端末２００から送信される上りリンク信号を受信した後、例えば、データ信号及び参照信号のマルチアクセスに関する情報に基づいて、チャネル推定処理、ユーザ検出処理及び復調処理を行う（ＳＴ２０６）。
【０１２０】
次に、データ信号及び参照信号の生成方法について説明する。端末２００（送信側）は、例えば、以下のOption 1〜Option 3の何れかに従って、データ信号及び参照信号を含むRepetition信号を生成する。
【０１２１】
[Option 1]
一般に、Repetitionが必要なシナリオ（特に、Repetition回数が多いシナリオ）は、受信SNR又はSINR（Signal to Interference and Noise power Ratio）が低い環境であることが想定される。このような環境では、受信側（例えば、基地局１００）においてデータ信号を精度良く復調するために、高精度のチャネル推定値を得ることが重要である。これに対して、参照信号に非直交マルチアクセスが適用されると、チャネル推定を行う際に干渉の影響が増加し、データ信号を復調するために十分に高精度のチャネル推定結果を得られない恐れがある。
【０１２２】
そこで、Option 1では、参照信号に対して非直交マルチアクセスが適用されない。換言すると、Option 1では、参照信号に対して直交マルチアクセスが適用される。よって、Option 1では、参照信号は、スロット内及びスロット間の何れにおいても多重端末間で直交する。
【０１２３】
具体的には、参照信号について、複数スロットに渡るRepetitionを適用する場合、端末２００は、まず、単一スロット割り当ての場合と同様にして、直交マルチアクセスのための信号を生成する。
【０１２４】
その後、端末２００は、生成されたスロット単位の信号を、複数スロットに渡りRepetitionする際に、同一時間リソース又は同一周波数リソースを用いる端末同士がスロット間で直交する符号系列（スロット間直交符号系列）を乗算する。
【０１２５】
なお、直交マルチアクセスのための信号には、複数の端末２００間において異なる周波数リソースを用いる周波数分割多重（FDM: Frequency Division Multiplexing）、端末２００間において異なる時間リソースを用いる時間分割多重（TDM: Time Division Multiplexing）、又は、端末２００間において同一の時間・周波数リソースを用い、かつ、異なる直交符号系列を適用する符号分割多重（CDM: Code Division Multiplexing）等が適用されてもよい。
【０１２６】
Option 1では、参照信号は、スロット内及びスロット間の何れでも多重端末間で直交されるので、受信側（例えば、基地局１００）は、受信SNR又はSINRが低い環境でも高精度のチャネル推定結果を得ることができ、データ信号を精度良く復調できる。
【０１２７】
次に、Option 1におけるデータ信号の生成方法（Option 1-1〜Option 1-3）について説明する。
【０１２８】
{Option 1-1}
Option 1-1では、データ信号に対して、参照信号と同様、非直交マルチアクセスが適用されない。換言すると、Option 1-1では、データ信号に対して、直交マルチアクセスが適用される。よって、データ信号は、スロット内及びスロット間の何れにおいても多重端末間で直交する。
【０１２９】
すなわち、Option 1-1では、スロット内及びスロット間において、データ信号に適用されるマルチアクセスの組み合わせと参照信号に適用されるマルチアクセスの組み合わせとは同一である。
【０１３０】
例えば、端末２００は、図１１に示すように、データ信号（Data）及び参照信号（例えば、DMRS）の何れについても、複数スロット（例えば、R個のスロット）に渡るRepetitionを適用する場合、まず、単一スロット割り当ての場合と同様にして、直交マルチアクセスのための信号（データ信号及び参照信号）を生成する。
【０１３１】
その後、端末２００は、図１１に示すように、生成されたスロット単位の信号を、複数スロットに渡りRepetitionする際に、スロット間直交符号系列（換言すると、同一時間リソース又は同一周波数リソースを用いる端末同士がスロット間で直交する符号系列）を乗算する。
【０１３２】
なお、直交マルチアクセスのための信号には、端末２００（図１１ではUE1及びUE2）の間においてFDM、TDM又はCDM等が適用されてもよい。
【０１３３】
また、直交マルチアクセスのための信号を生成するための多重方法（例えば、FDM、TDM、又はCDM）及びスロット間直交符号系列は、データ信号及び参照信号に対して同一でもよく、少なくとも一方が異なってもよい。
【０１３４】
Option 1-1は、例えば、SNR又はSINRが劣悪な環境であり、参照信号及びデータ信号の双方に対して非直交マルチアクセスが適用できない環境に適した方法である。
【０１３５】
{Option 1-2}
Option 1-2では、データ信号に対して、非直交マルチアクセスが適用される。具体的には、データ信号は、スロット内及びスロット間の何れにおいても多重端末間で非直交である。
【０１３６】
すなわち、Option 1-2では、スロット内及びスロット間において、データ信号に適用されるマルチアクセスの組み合わせと参照信号に適用されるマルチアクセスの組み合わせとは異なる。
【０１３７】
データ信号について、複数スロットに渡るRepetitionを適用する場合、図１２に示すように、Repetition回数に応じて非直交マルチアクセスにおけるSignatureサイズを増加させ、端末多重数を増加させる。これにより、データ信号に対して、Repetitionによる周波数利用効率の低下を防止できる。
【０１３８】
Option 1-2は、例えば、参照信号に割り当て可能な直交リソース量が、データ信号に割り当て可能な直交リソース量と比較して十分多い場合に適した方法である。このような場合、SNR又はSINRが低い環境においても、Option 1-2を適用することにより、端末多重数を増加させつつ、基地局１００において、多重端末間で直交する参照信号を用いて、データ信号を精度良く復調できる。
【０１３９】
{Option 1-3}
Option 1-3では、データ信号に対して、非直交マルチアクセスが適用される。また、Option 1-3では、図１３に示すように、データ信号は、実施の形態１（例えば、図６を参照）において説明したように、スロット内では多重端末間で非直交であり、スロット間では多重端末間で直交する。
【０１４０】
すなわち、Option 1-3では、スロット内及びスロット間において、データ信号に適用されるマルチアクセスの組み合わせと参照信号に適用されるマルチアクセスの組み合わせとは異なる。
【０１４１】
Option 1-3において、データ信号の生成方法は、実施の形態１と同様であり、参照信号の生成方法は、Option 1-1又はOption 1-2と同様である。
【０１４２】
Option 1-3は、Option 1-2と同様、例えば、参照信号に割り当て可能な直交リソース量が、データ信号に割り当て可能な直交リソース量と比較して十分多い場合に適した方法である。Option 1-3を適用することにより、SNR又はSINRが低い環境においても、端末多重数を増加させつつ、基地局１００においてデータ信号を精度良く復調できる。
【０１４３】
また、Option 1-3では、実施の形態１と同様、スロット間直交符号の適用により、端末多重数を増加することで、Repetitionによる周波数利用効率の低下を防ぎつつ、ユーザ検出又は復調演算等の処理量の増加を抑えることができる。
【０１４４】
[Option 2]
Option 2では、参照信号に対して非直交マルチアクセスが適用される。また、Option 2では、参照信号は、スロット内及びスロット間の何れにおいても多重端末間で非直交である。
【０１４５】
例えば、参照信号について、複数スロットに渡るRepetitionを適用する場合、Repetition回数に応じて非直交マルチアクセスにおけるSignatureサイズを増加させ、端末多重数を増加させる。これにより、参照信号に対して、Repetitionによる周波数利用効率の低下を防止できる。
【０１４６】
Option 2は、例えば、参照信号に割り当て可能な直交リソース量が、データ信号に割り当て可能な直交リソース量と比較して十分少ない場合に適した方法である。このような場合、Option 2を適用することにより、非直交マルチアクセスによって参照信号の多重数を確保し、端末多重数を増加できる。また、Option 2では、SNR又はSINRが高い環境において、上りリンクの周波数利用効率を向上できる。
【０１４７】
次に、Option 2におけるデータ信号の生成方法（Option 2-1〜Option 2-3）について説明する。
【０１４８】
{Option 2-1}
Option 2-1では、データ信号に対して非直交マルチアクセスが適用されない。換言すると、Option 2-1では、データ信号に対して、直交マルチアクセスが適用される。よって、データ信号は、スロット内及びスロット間の何れにおいても多重端末間で直交する。
【０１４９】
すなわち、Option 2-1では、スロット内及びスロット間において、データ信号に適用されるマルチアクセスの組み合わせと参照信号に適用されるマルチアクセスの組み合わせとは異なる。
【０１５０】
例えば、端末２００は、図１４に示すように、データ信号について、複数スロット（例えば、R個のスロット）に渡るRepetitionを適用する場合、まず、単一スロット割り当ての場合と同様にして、直交マルチアクセスのためのデータ信号を生成する。例えば、直交マルチアクセスのための信号には、FDM、TDM又はCDM等が適用されてもよい。
【０１５１】
その後、端末２００は、図１４に示すように、生成されたスロット単位の信号を、複数スロットに渡りRepetitionする際に、スロット間直交符号系列を乗算する。
【０１５２】
Option 2-1は、例えば、参照信号に割り当て可能な直交リソース量が、データ信号に割り当て可能な直交リソース量と比較して十分少ない場合に、端末多重数を増加できる。
【０１５３】
{Option 2-2}
Option 2-2では、データ信号に対して、非直交マルチアクセスが適用される。具体的には、Option 2-2では、データ信号及び参照信号は、スロット内及びスロット間の何れにおいても多重端末間で非直交である。
【０１５４】
すなわち、Option 2-2では、スロット内及びスロット間において、データ信号に適用されるマルチアクセスの組み合わせと参照信号に適用されるマルチアクセスの組み合わせとは同一である。
【０１５５】
データ信号及び参照信号について、複数スロットに渡るRepetitionを適用する場合、図１５に示すように、Repetition回数に応じて非直交マルチアクセスにおけるSignatureサイズを増加させ、端末多重数を増加させる。これにより、データ信号及び参照信号に対して、Repetitionによる周波数利用効率の低下を防止できる。
【０１５６】
なお、非直交直交マルチアクセスのための信号を生成する方法は、参照信号及びデータ信号の双方に対して同一でもよく、異なってもよい。
【０１５７】
Option 2-2は、例えば、SNR又はSINRが高い環境において適した方法である。SNR又はSINRが高い環境においてOption 2-2を適用することにより、上りリンクの周波数利用効率を向上できる。
【０１５８】
{Option 2-3}
Option 2-3では、データ信号に対して非直交マルチアクセスが適用される。また、Option 2-3では、図１６に示すように、データ信号は、実施の形態１（例えば、図６を参照）において説明したように、スロット内では多重端末間で非直交であり、スロット間では多重端末間で直交する。
【０１５９】
すなわち、Option 2-3では、参照信号がスロット間では多重端末間で非直交であり、データ信号がスロット間では多重端末間で直交する。よって、Option 2-3では、スロット内及びスロット間において、データ信号に適用されるマルチアクセスの組み合わせと参照信号に適用されるマルチアクセスの組み合わせとは異なる。
【０１６０】
Option 2-3において、データ信号の生成方法は、実施の形態１と同様であり、参照信号の生成方法は、Option 2-1又はOption 2-2と同様である。
【０１６１】
Option 2-3は、例えば、SNR又はSINRが高い環境において適した方法である。SNR又はSINRが高い環境においてOption 2-3を適用することにより、上りリンクの周波数利用効率を向上できる。
【０１６２】
また、Option 2-3では、データ信号に対するスロット間直交符号の適用により、実施の形態１と同様、端末多重数を増加することで、Repetitionによる周波数利用効率の低下を防ぎつつ、ユーザ検出又は復調演算等の処理量の増加を抑えることができる。
【０１６３】
[Option 3]
Option 3では、参照信号に対して、非直交マルチアクセスが適用される。また、Option 3では、参照信号は、実施の形態１（例えば、図６を参照）で説明したように、スロット内では多重端末間で非直交となり、スロット間では多重端末間で直交する。
【０１６４】
Option 3において、参照信号の生成方法は、実施の形態１（例えば、図６を参照）で説明した方法と同様である。
【０１６５】
Option 3は、例えば、Option 2と同様の効果に加え、参照信号について、実施の形態１と同様、ユーザ検出及びチャネル推定に必要な演算処理量の増加を抑えることができる。
【０１６６】
次に、Option 3におけるデータ信号の生成方法（Option 3-1〜Option 3-3）について説明する。
【０１６７】
{Option 3-1}
Option 3-1では、データ信号に対して非直交マルチアクセスが適用されない。換言すると、Option 3-1では、データ信号に対して、直交マルチアクセスが適用される。よって、データ信号は、スロット内及びスロット間の何れにおいても多重端末間で直交する。
【０１６８】
すなわち、Option 3-1では、スロット内及びスロット間において、データ信号に適用されるマルチアクセスの組み合わせと参照信号に適用されるマルチアクセスの組み合わせとは異なる。
【０１６９】
例えば、端末２００は、図１７に示すように、データ信号について、複数スロット（例えば、R個のスロット）に渡るRepetitionを適用する場合、まず、単一スロット割り当ての場合と同様にして、直交マルチアクセスのためのデータ信号を生成する。例えば、直交マルチアクセスのための信号には、FDM、TDM又はCDM等が適用されてもよい。
【０１７０】
その後、端末２００は、図１７に示すように、生成されたスロット単位の信号を複数スロットに渡りRepetitionする際に、スロット間直交符号系列を乗算する。
【０１７１】
Option 3-1は、例えば、参照信号に割り当て可能な直交リソース量が、データ信号に割り当て可能な直交リソース量と比較して十分少ない場合に、端末多重数を増加できる。
【０１７２】
{Option 3-2}
Option 3-2では、データ信号に対して、非直交マルチアクセスが適用される。具体的には、Option 3-2では、データ信号は、スロット内及びスロット間の何れにおいても多重端末間で非直交である。
【０１７３】
すなわち、Option 3-2では、参照信号がスロット間では多重端末間で直交し、データ信号がスロット間では多重端末間で非直交である。よって、Option 3-2では、スロット内及びスロット間において、データ信号に適用されるマルチアクセスの組み合わせと参照信号に適用されるマルチアクセスの組み合わせとは異なる。
【０１７４】
データ信号について、複数スロットに渡るRepetitionを適用する場合、図１８に示すように、Repetition回数に応じて非直交マルチアクセスにおけるSignatureサイズを増加させ、端末多重数を増加させる。これにより、データ信号に対して、Repetitionによる周波数利用効率の低下を防止できる。
【０１７５】
Option 3-2は、例えば、SNR又はSINRが高い環境において適した方法である。SNR又はSINRが高い環境においてOption 3-2を適用することにより、上りリンクの周波数利用効率を向上できる。
【０１７６】
{Option 3-3}
Option 3-3では、データ信号に対して非直交マルチアクセスが適用される。また、Option 3-3では、図１９に示すように、データ信号及び参照信号は、実施の形態１（例えば、図６を参照）で説明したように、スロット内では多重端末間で非直交であり、スロット間では多重端末間で直交する。
【０１７７】
すなわち、Option 3-3では、スロット内及びスロット間において、データ信号に適用されるマルチアクセスの組み合わせと参照信号に適用されるマルチアクセスの組み合わせとは同一である。
【０１７８】
Option 3-3において、データ信号の生成方法は、実施の形態１で説明した方法と同様である。なお、非直交直交マルチアクセスのための信号を生成するための方法及びスロット間直交符号系列は、データ信号と参照信号とで同一でもよく、少なくとも一方が異なってもよい。
【０１７９】
Option 3-3は、例えば、SNR又はSINRが高い環境において適した方法である。SNR又はSINRが高い環境においてOption 3-3を適用することにより、上りリンクの周波数利用効率を向上できる。
【０１８０】
また、Option 3-3では、データ信号に対するスロット間直交符号の適用により、実施の形態１と同様、端末多重数を増加することで、Repetitionによる周波数利用効率の低下を防ぎつつ、ユーザ検出又は復調演算の処理量の増加を抑えることができる。
【０１８１】
以上、Option 1〜Option 3について説明した。
【０１８２】
＜直交・非直交マルチアクセス方式の通知＞
次に、基地局１００が端末２００に対して、データ信号及び参照信号のマルチアクセス方式を通知する方法について説明する。これにより、受信側（基地局１００）と送信側（端末２００）との間において、データ信号及び参照信号に対してどのマルチアクセス方式が用いられているかを共有する。
【０１８３】
以下、マルチアクセス方式の通知方法の一例として、Option 1及びOption 2について説明する。
【０１８４】
[Option 1]
Option 1では、マルチアクセス方式は、上りリンク送信をスケジューリングする下りリンク制御チャネル(PDCCH)において送信されるDCIを用いてdynamicに端末２００へ通知される。
【０１８５】
この場合、DCIによって通知される情報は、スロット単位のマルチアクセス方式、及び、スロット間のマルチアクセス方式の双方を示す情報でもよく、スロット単位のマルチアクセス方式とスロット間のマルチアクセス方式との組み合わせを示す情報でもよい。
【０１８６】
また、DCIによって、データ信号に対するマルチアクセス方式を示す情報と、参照信号に対するマルチアクセス方式を示す情報とが別々に通知されてもよく、データ信号と参照信号とに対するマルチアクセス方式の組み合わせを示す情報が通知されてもよい。
【０１８７】
また、DCIによって通知されるマルチアクセス方式は、規格で予め決められた候補のうちの何れか１つでもよく、セル固有(又はグループ固有)又は端末固有の上位レイヤ信号によって通知された候補のうちの何れか１つでもよい。
【０１８８】
また、マルチアクセス方式は、DCIにより明示的に通知される場合に限らず、DCIによって通知されるその他の情報（パラメータ）から黙示的に通知されてもよい。例えば、スロット間直交符号を用いる場合、実施の形態１のように通知されたスロット間直交符号系列から、マルチアクセス方式が黙示的に決定されてもよい。この場合、マルチアクセス方式の通知のためのオーバヘッドを削減できる。
【０１８９】
[Option 2]
Option 2では、マルチアクセス方式は、セル固有(又はグループ固有)又は端末固有の上位レイヤ信号を用いて端末２００へSemi-staticに通知される。
【０１９０】
この場合、上位レイヤ信号によって通知される情報は、スロット単位のマルチアクセス方式を示す情報、及び、スロット間のマルチアクセス方式を示す情報でもよく、スロット単位のマルチアクセス方式とスロット間のマルチアクセス方式との組み合わせを示す情報でもよい。
【０１９１】
また、上位レイヤ信号によって、データ信号に対するマルチアクセス方式を示す情報と、参照信号に対するマルチアクセス方式を示す情報とが別々に通知されてもよく、データ信号と参照信号とに対するマルチアクセス方式の組み合わせを示す情報が通知されてもよい。
【０１９２】
また、マルチアクセス方式は、上位レイヤ信号により明示的に通知される場合に限らず、上位レイヤ信号によって通知されるその他の情報（パラメータ）から黙示的に通知されてもよい。例えば、スロット間直交符号を用いる場合、実施の形態１のように通知されたスロット間直交符号系列から、マルチアクセス方式が黙示的に決定されてもよい。この場合、マルチアクセス方式の通知のためのオーバヘッドを削減できる。
【０１９３】
以上、マルチアクセス方式の通知方法について説明した。
【０１９４】
このように、本実施の形態では、データ信号及び参照信号（例えば、DMRS）に対して、マルチアクセスがそれぞれ設定される。
【０１９５】
例えば、スロット内及びスロット間において、データ信号に適用されるマルチアクセスの組み合わせと参照信号に適用されるマルチアクセスの組み合わせとは異なる。このため、例えば、SNR又はSINRが低い環境において、高精度のチャネル推定値を得るために、参照信号に対して直交マルチアクセスを適用し、周波数利用効率を向上するために、データ信号に対して非直交マルチアクセスを適用できる。
【０１９６】
よって、本実施の形態によれば、端末多重数を増加させつつ、基地局１００において、データ信号を精度良く復調できる。
【０１９７】
なお、本実施の形態において、データ信号及び参照信号に対するマルチアクセスの設定例は、Option 1〜Option 3に示した例に限定されない。例えば、データ信号及び参照信号の少なくとも一方が、スロット内では多重端末間で直交し、スロット間では多重端末間で非直交であるマルチアクセスが適用されてもよい。
【０１９８】
（実施の形態３）
本実施の形態に係る基地局及び端末は、実施の形態１に係る基地局１００及び端末２００と基本構成が共通するので、図３及び図４を援用して説明する。
【０１９９】
実施の形態１では、複数スロットに渡るRepetitionを適用する場合に、例えば、図２０に示すように、送信側の端末２００は、まず、単一スロット割り当ての場合と同様にして、非直交マルチアクセスのための信号を生成し、その後、スロット単位の信号を複数スロットに渡りRepetitionする際に、スロット間直交符号系列を乗算する場合について説明した。
【０２００】
また、実施の形態１では、受信側の基地局１００は、演算処理量の増加を抑えるために、例えば、図２０に示すように、スロット間直交符号の逆拡散によるユーザ検出と、合成後の単一スロットの非直交マルチアクセスのユーザ検出及び復調と、を２段階で行う。
【０２０１】
ここで、単一スロット割り当てに適用した非直交マルチアクセスと、スロット間直交符号系列との組み合わせは、１つの非直交マルチアクセス符号系列と見なすことも可能である。
【０２０２】
よって、図２１に示すように、図２０と同様にして、端末２００において生成されたRepetition信号に対して、基地局１００は、図２１に示すように、ユーザ検出と復調とを一括で行うこともできる。
【０２０３】
図２１に示すように、ユーザ検出と復調を一括で行う利点は、特に、端末多重数が多い場合に、複数の無線リソースを用いることによるダイバーシチ効果が得られ、ユーザ検出特性を改善できる可能性があることである。ただし、ユーザ検出と復調を一括で行う場合には、基地局１００におけるユーザ検出及び復調処理の演算量が増加する恐れがある。
【０２０４】
そこで、本実施の形態では、基地局１００は、例えば、端末多重数に応じて、ユーザ検出及び復調処理の方法（図２０又は図２１）を切り替える。
【０２０５】
具体的には、基地局１００の制御部１０１は、複数の端末２００に対するスケジューリングにおいて端末多重数を決定し、端末多重数を示す情報をユーザ検出／復調部１１７に出力する。
【０２０６】
そして、基地局１００のユーザ検出／復調部１１７は、複数の端末２００から、複数スロットに渡るRepetition信号を受信した場合、当該Repetition信号における端末多重数に応じて、スロット間直交符号の逆拡散による受信処理（例えば、ユーザ検出）と、単一スロットの非直交マルチアクセスに基づく受信処理（例えば、ユーザ検出及び復調処理）とを２段階で行う方法（例えば、図２０を参照）と、単一スロット割り当てに適用した非直交マルチアクセスとスロット間の直交符号系列との組み合わせを１つの非直交マルチアクセス符号系列と見なしてユーザ検出及び復調処理を一括で行う方法（例えば、図２１を参照）と、を切り替える。
【０２０７】
例えば、ユーザ検出／復調部１１７は、端末多重数Xを閾値に設定してもよい。
【０２０８】
この場合、ユーザ検出／復調部１１７は、Repetition信号にX個以下の端末２００が多重されている場合には、図２０に示すように、ユーザ検出及び復調処理を２段階で行う方法を適用する。これにより、基地局１００では、ユーザ検出及び復調処理の処理量の増加を抑えることができる。
【０２０９】
一方、ユーザ検出／復調部１１７は、Repetition信号にX個より多い端末２００が多重されている場合には、図２１に示すように、ユーザ検出及び復調処理を一括で行う方法を適用する。これにより、基地局１００では、ユーザ検出特性を改善できる。
【０２１０】
また、ユーザ検出及び復調処理の切り替え基準は、端末多重数に限定されない。例えば、ユーザ検出及び復調処理の切り替え基準は、目標伝送品質（例えば、目標ブロック誤り率）でもよい。
【０２１１】
例えば、eMBB又はmMTCでは、比較的高い目標誤り率が設定されている（例えば、目標ブロック誤り率10-1)。そこで、ユーザ検出／復調部１１７は、eMBB又はmMTCの場合（換言すると、目標ブロック誤り率が所定の閾値より大きい場合）、図２０に示すように、ユーザ検出及び復調処理を２段階で行う方法を適用する。これにより、基地局１００では、ユーザ検出及び復調処理の処理量の増加を回避できる。
【０２１２】
一方、URLLCでは、比較的低い目標誤り率が設定されている（例えば、目標ブロック誤り率10-5)。そこで、ユーザ検出／復調部１１７は、URLLCの場合（換言すると、目標ブロック誤り率が所定の閾値以下の場合）、図２１に示すように、ユーザ検出及び復調処理を一括で行う方法を適用する。これにより、基地局１００では、ユーザ検出特性を改善できる。
【０２１３】
以上、本開示の各実施の形態について説明した。
【０２１４】
なお、上記実施の形態は、いかなる上りリンク送信波形にも適用できる。例えば、上りリンク送信波形は、OFDMでもよく、DFT-s-OFDMでもよい。
【０２１５】
また、上記実施の形態において用いたスロット単位の動作は、サブフレーム単位、シンボル単位、リソースエレメント(RE)単位、又は、リソースユニット単位等の他の割当単位に置き換えて適用することができる。例えば、NRでは、スロットは14シンボルからなる時間リソース単位である。また、LTEでは、サブフレームは14シンボルからなる時間リソース単位である。また、リソースユニットは、複数のスロット、複数のサブフレーム、複数のシンボル、又は、複数のREから構成される、時間・周波数リソースの集合である。
【０２１６】
また、上記実施の形態では、スロット単位のRepetitionを用いた場合について説明した。しかし、Repetitionの単位はスロット単位に限定されず、他の割当単位でもよい。例えば、Repetitionの単位は、サブフレーム単位、シンボル単位、RE単位、又は、リソースユニット単位の何れか、又は、これらの組み合わせでもよい。この場合、スロット間直交符号系列は、それぞれ、Repetitionの単位に応じて、サブフレーム間、シンボル間、RE間、又は、リソースユニット間の直交符号系列に置き換えればよい。
【０２１７】
また、非直交マルチアクセスのための信号を生成するSignatureは、拡散符号又はコードブックに限定されず、複数の端末を区別するための特性を有していればよい。例えば、Signatureは、無線リソース又は電力で表されてもよい。
【０２１８】
本開示の一実施例における非直交マルチアクセスのための信号生成には、以下に示す方法を適用することができる。PD-NOMA(Power Domain Non-Orthogonal Multiple Access)（例えば、非特許文献７を参照），SCMA (Sparse Code Multiple Access)（例えば、非特許文献８を参照），MUSA(Multi-User Shared Access)（例えば、非特許文献９を参照），PDMA(Pattern Division Multiple Access)（例えば、非特許文献１０を参照），LSSA(Low code rate and Signature based Shared Access)（例えば、非特許文献１１を参照），RSMA(Resource Spread Multiple Access)（例えば、非特許文献１２を参照），IGMA(Interleave-Grid Multiple Access)（例えば、非特許文献１３を参照），IDMA(Interleaver Division Multiple Access)（例えば、非特許文献１４を参照），NCMA(Non-orthogonal Coded Multiple Access)（例えば、非特許文献１５を参照），NOCA(Non-orthogonal Coded Access)（例えば、非特許文献１６を参照），GOCA(Group Orthogonal Coded Access)（例えば、非特許文献１７を参照），RDMA(Repetition Division Multiple Access)（例えば、非特許文献１７を参照），LDS-SVE(LDS-Signature Vector Extension)（例えば、非特許文献１８を参照），FDS(Frequency Domain Spreading)（例えば、非特許文献１９を参照），LCRS(Low Code Rate Spreading)（例えば、非特許文献１９を参照）。なお、非直交マルチアクセス方式は、複数の多重端末の割り当てられた無線リソースが時間領域、周波数領域又は符号領域において直交しないマルチアクセス方式であればよく、上記方法に限らない。
【０２１９】
また、本開示はソフトウェア、ハードウェア、又は、ハードウェアと連携したソフトウェアで実現することが可能である。上記実施の形態の説明に用いた各機能ブロックは、部分的に又は全体的に、集積回路であるＬＳＩとして実現され、上記実施の形態で説明した各プロセスは、部分的に又は全体的に、一つのＬＳＩ又はＬＳＩの組み合わせによって制御されてもよい。ＬＳＩは個々のチップから構成されてもよいし、機能ブロックの一部または全てを含むように一つのチップから構成されてもよい。ＬＳＩはデータの入力と出力を備えてもよい。ＬＳＩは、集積度の違いにより、ＩＣ、システムＬＳＩ、スーパーＬＳＩ、ウルトラＬＳＩと呼称されることもある。集積回路化の手法はＬＳＩに限るものではなく、専用回路、汎用プロセッサ又は専用プロセッサで実現してもよい。また、ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサを利用してもよい。本開示は、デジタル処理又はアナログ処理として実現されてもよい。さらには、半導体技術の進歩または派生する別技術によりＬＳＩに置き換わる集積回路化の技術が登場すれば、当然、その技術を用いて機能ブロックの集積化を行ってもよい。バイオ技術の適用等が可能性としてありえる。
【０２２０】
本開示は、通信機能を持つあらゆる種類の装置、デバイス、システム（通信装置と総称）において実施可能である。通信装置の、非限定的な例としては、電話機（携帯電話、スマートフォン等）、タブレット、パーソナル・コンピューター（ＰＣ）（ラップトップ、デスクトップ、ノートブック等）、カメラ（デジタル・スチル／ビデオ・カメラ等）、デジタル・プレーヤー（デジタル・オーディオ／ビデオ・プレーヤー等）、着用可能なデバイス（ウェアラブル・カメラ、スマートウオッチ、トラッキングデバイス等）、ゲーム・コンソール、デジタル・ブック・リーダー、テレヘルス・テレメディシン（遠隔ヘルスケア・メディシン処方）デバイス、通信機能付きの乗り物又は移動輸送機関（自動車、飛行機、船等）、及び上述の各種装置の組み合わせがあげられる。
【０２２１】
通信装置は、持ち運び可能又は移動可能なものに限定されず、持ち運びできない又は固定されている、あらゆる種類の装置、デバイス、システム、例えば、スマート・ホーム・デバイス（家電機器、照明機器、スマートメーター又は計測機器、コントロール・パネル等）、自動販売機、その他ＩｏＴ（Ｉｎｔｅｒｎｅｔ  ｏｆ  Ｔｈｉｎｇｓ）ネットワーク上に存在し得るあらゆる「モノ（Things）」をも含む。
【０２２２】
通信には、セルラーシステム、無線ＬＡＮシステム、通信衛星システム等によるデータ通信に加え、これらの組み合わせによるデータ通信も含まれる。
【０２２３】
また、通信装置には、本開示に記載される通信機能を実行する通信デバイスに接続又は連結される、コントローラやセンサー等のデバイスも含まれる。例えば、通信装置の通信機能を実行する通信デバイスが使用する制御信号やデータ信号を生成するような、コントローラやセンサーが含まれる。
【０２２４】
また、通信装置には、上記の非限定的な各種装置と通信を行う、あるいはこれら各種装置を制御する、インフラストラクチャ設備、例えば、基地局、アクセスポイント、その他あらゆる装置、デバイス、システムが含まれる。
【０２２５】
本開示の一実施例における基地局は、複数の割当単位に渡って繰り返し送信される送信信号を受信する受信機と、複数の端末の信号が互いに直交しない非直交マルチアクセス及び複数の端末の信号が互いに直交する直交マルチアクセスの組み合わせに基づいて、前記送信信号を復調する回路と、を具備する。
【０２２６】
本開示の一実施例における基地局において、前記送信信号は、単一の前記割当単位において前記非直交マルチアクセスに基づいて生成された信号に対して、前記複数の割当単位の各々において前記直交マルチアクセスの符号系列が乗算された信号である。
【０２２７】
本開示の一実施例における基地局において、前記符号系列の系列長は、前記複数の割当単位の数と同一の値である。
【０２２８】
本開示の一実施例における基地局において、前記符号系列の系列長は、前記複数の割当単位の数よりも小さい値である。
【０２２９】
本開示の一実施例における基地局において、前記符号系列は、下り制御信号を用いてダイナミックに端末へ通知される。
【０２３０】
本開示の一実施例における基地局において、前記下り制御信号を用いて通知される前記符号系列は、前記符号系列に対する複数の候補のうちの何れか１つである。
【０２３１】
本開示の一実施例における基地局において、前記複数の候補は、上位レイヤシグナリングによって通知されている、又は、予め規定されている。
【０２３２】
本開示の一実施例における基地局において、前記符号系列は、前記下り制御信号によって前記端末へ通知される他のパラメータに対応付けられている。
【０２３３】
本開示の一実施例における基地局において、前記符号系列は、上位レイヤシグナリングを用いて端末へ通知される。
【０２３４】
本開示の一実施例における基地局において、前記符号系列は、前記上位レイヤシグナリングによって前記端末へ通知される他のパラメータに対応付けられている。
【０２３５】
本開示の一実施例における基地局において、前記送信信号は、データ信号及び参照信号を含み、前記データ信号に適用される前記組み合わせと前記参照信号に適用される前記組み合わせとが異なる。
【０２３６】
本開示の一実施例における基地局において、前記回路は、前記受信された送信信号において多重されている端末数に応じて、前記符号系列を用いた逆拡散による第１の受信処理、及び、前記単一の割当単位における前記非直交マルチアクセスに基づく第２の受信処理を２段階で行う第１の方法と、前記第１の処理及び第２の処理を一括で行う第２の方法とを、切り替える。
【０２３７】
本開示の一実施例における基地局において、前記回路は、前記送信信号の目標伝送品質に応じて、前記符号系列を用いた逆拡散による第１の受信処理、及び、前記単一の割当単位における前記非直交マルチアクセスに基づく第２の受信処理を２段階で行う第１の方法と、前記第１の処理及び第２の処理を一括で行う第２の方法とを、切り替える。
【０２３８】
本開示の一実施例における端末は、複数の端末の信号が互いに直交しない非直交マルチアクセス及び複数の端末の信号が互いに直交する直交マルチアクセスの組み合わせに基づいて、複数の割当単位に渡って繰り返し送信される送信信号を生成する回路と、前記送信信号を送信する送信機と、を具備する。
【０２３９】
本開示の一実施例における受信方法は、複数の割当単位に渡って繰り返し送信される送信信号を受信し、複数の端末の信号が互いに直交しない非直交マルチアクセス及び複数の端末の信号が互いに直交する直交マルチアクセスの組み合わせに基づいて、前記送信信号を復調する。
【０２４０】
本開示の一実施例における送信方法は、複数の端末の信号が互いに直交しない非直交マルチアクセス及び複数の端末の信号が互いに直交する直交マルチアクセスの組み合わせに基づいて、複数の割当単位に渡って繰り返し送信される送信信号を生成し、前記送信信号を送信する。
【０２４１】
２０１８年６月２５日出願の特願２０１８−１１９６７２の日本出願に含まれる明細書、図面および要約書の開示内容は、すべて本願に援用される。
【産業上の利用可能性】
【０２４２】
本開示の一実施例は、移動通信システムに有用である。
【符号の説明】
【０２４３】
１００  基地局
１０１，２０９  制御部
１０２  上位制御信号生成部
１０３，１０６，２１１  符号化部
１０４，１０７，２１２  変調部
１０５  下り制御信号生成部
１０８，２１４  信号割当部
１０９，２１５  IFFT部
１１０，２１６  送信部
１１１，２０１  アンテナ
１１２，２０２  受信部
１１３，２０３  FFT部
１１４  受信信号処理部
１１５，２０４  抽出部
１１６  チャネル推定部
１１７  ユーザ検出／復調部
１１８  復号部
１１９  判定部
２００  端末
２０５  下り制御信号復調部
２０６，２０８  復号部
２０７  上位制御信号復調部
２１０  信号生成部
２１３  参照信号生成部
【図１】
2020003682.tif 000003
【図２】
2020003682.tif 000004
【図３】
2020003682.tif 000005
【図４】
2020003682.tif 000006
【図５】
2020003682.tif 000007
【図６】
2020003682.tif 000008
【図７】
2020003682.tif 000009
【図８】
2020003682.tif 000010
【図９】
2020003682.tif 000011
【図１０】
2020003682.tif 000012
【図１１】
2020003682.tif 000013
【図１２】
2020003682.tif 000014
【図１３】
2020003682.tif 000015
【図１４】
2020003682.tif 000016
【図１５】
2020003682.tif 000017
【図１６】
2020003682.tif 000018
【図１７】
2020003682.tif 000019
【図１８】
2020003682.tif 000020
【図１９】
2020003682.tif 000021
【図２０】
2020003682.tif 000022
【図２１】
2020003682.tif 000023
【国際調査報告】
2020003682.tif 000024
2020003682.tif 000025